【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
入力する画像情報に応じた画像を表示する画像表示手段と、装置全体を制御する制御手段とを備えた画像表示装置であって、
前記制御手段は、
前記画像情報に基づく画像を形成する入力画像形成部と、
設定画面に係る画像を形成する設定画像形成部と、
形成される前記設定画面に係る画像の階調と、前記画像情報に係る画像の階調との差が広がるように、当該画像情報に係る画像の階調を調節する階調調節部と、
調節された前記画像情報に係る画像に、前記設定画面に係る画像を重畳した表示画像を形成する画像重畳部と、
前記表示画像を前記画像表示手段に表示させる表示手段駆動制御部とを備えることを特徴とする画像表示装置。
【請求項２】
請求項１に記載の画像表示装置において、
前記階調調節部は、
前記設定画面に係る画像の階調を中心とする所定の範囲外となるように、前記画像情報に係る画像の階調を調節することを特徴とする画像表示装置。
【請求項３】
請求項２に記載の画像表示装置において、
前記制御手段は、
前記画像情報に係る画像の階調が前記所定の範囲内にあるか否かを判定する階調判定部と、
前記階調判定部により、前記画像情報に係る画像の階調が前記所定の範囲内にあると判定されると、前記設定画面に係る画像の階調が所定レベルより高いか否かを判定するレベル判定部とを備え、
前記階調調節部は、
前記レベル判定部により、前記設定画面に係る画像の階調が前記所定レベルより高いと判定されると、前記所定の範囲外の階調となるように、前記画像情報に係る画像の階調を下げることを特徴とする画像表示装置。
【請求項４】
請求項２に記載の画像表示装置において、
前記制御手段は、
前記画像情報に係る画像の階調が前記所定の範囲内にあるか否かを判定する階調判定部と、
前記階調判定部により、前記画像情報に係る画像の階調が前記所定の範囲内にあると判定されると、前記設定画面に係る画像の階調が所定レベルより高いか否かを判定するレベル判定部とを備え、
前記階調調節部は、
前記レベル判定部により、前記設定画面に係る画像の階調が前記所定レベルより低いと判定されると、前記所定の範囲外の階調となるように、前記画像情報に係る画像の階調を上げることを特徴とする画像表示装置。
【請求項５】
請求項１から請求項４のいずれかに記載の画像表示装置において、
前記画像表示手段は、
光源と、当該光源から射出された光束を変調して画像を形成する光変調装置とを備え、
前記制御手段は、
前記階調調節部により、前記画像情報に係る画像の階調を下げる際に、前記光源から射出される光束の輝度を低減させる輝度調節部を備えることを特徴とする画像表示装置。
【手続補正２】
【補正対象書類名】明細書
【補正対象項目名】０００９
【補正方法】変更
【補正の内容】
【０００９】
本発明では、前記階調調節部は、前記設定画面に係る画像の階調を中心とする所定の範囲外となるように、前記画像情報に係る画像の階調を調節することが好ましい。
本発明によれば、設定画面に係る画像の階調を中心とする範囲を適切に設定することにより、例えば、設定画面に係る画像の階調が高い場合、すなわち、当該画像が明るい場合には、画像情報に係る画像の階調を下げて、当該画像を暗くすることができる。また、設定画面に係る画像の階調が低い場合、すなわち、当該画像が暗い場合には、画像情報に係る画像の階調を上げて、当該画像を明るくすることができる。従って、設定画面に係る画像の階調と、画像情報に係る画像の階調とを確実に広げることができるので、設定画面を確実に見易く、かつ、目立たせることができる。
【手続補正３】
【補正対象書類名】明細書
【補正対象項目名】００１０
【補正方法】変更
【補正の内容】
【００１０】
本発明では、前記制御手段は、前記画像情報に係る画像の階調が前記所定の範囲内にあるか否かを判定する階調判定部と、前記階調判定部により、前記画像情報に係る画像の階調が前記所定の範囲内にあると判定されると、前記設定画面に係る画像の階調が所定レベルより高いか否かを判定するレベル判定部とを備え、前記階調調節部は、前記レベル判定部により、前記設定画面に係る画像の階調が前記所定レベルより高いと判定されると、前記所定の範囲外の階調となるように、前記画像情報に係る画像の階調を下げることが好ましい。
【手続補正４】
【補正対象書類名】明細書
【補正対象項目名】００１１
【補正方法】変更
【補正の内容】
【００１１】
ここで、所定レベルは、例えば、全階調の半分の値とすることができる。
本発明によれば、階調判定部により、画像情報に係る画像の階調が前述の所定の範囲内である場合には、設定画面に係る画像の階調と画像情報に係る画像の階調とが近接していると判断し、レベル判定部が、設定画面に係る画像の階調が所定レベルより高いか否かを判定することで、当該設定画面に係る画像が明るい画像であるか暗い画像であるかを判断することができる。そして、レベル判定部により、設定画面に係る画像の階調が所定レベルより高いと判断された場合には、画像情報に係る画像の階調を、前述の所定の範囲外の階調となるように下げ、当該画像情報に係る画像を暗くする。
これによれば、設定画面に係る画像の階調が高い場合、すなわち、設定画面に係る画像が明るい場合に、当該設定画面に係る画像が重畳される画像情報に係る画像の階調を下げ、当該画像情報に係る画像を暗くすることができる。従って、各画像のコントラストの違いにより、表示画像における設定画面に係る画像を一層確実に見易く、かつ、目立たせることができる。また、このように、設定画面に係る画像を明るく、画像情報に係る画像を暗くすることにより、当該設定画面を浮き上がるように見せることができる。従って、表示画像の周囲が明るい場合や、暗い場合などの画像表示装置の使用環境に依らずに、表示画像中の設定画面をより一層見易くすることができる。
【手続補正５】
【補正対象書類名】明細書
【補正対象項目名】００１２
【補正方法】変更
【補正の内容】
【００１２】
或いは、本発明では、前記制御手段は、前記画像情報に係る画像の階調が前記所定の範囲内にあるか否かを判定する階調判定部と、前記階調判定部により、前記画像情報に係る画像の階調が前記所定の範囲内にあると判定されると、前記設定画面に係る画像の階調が所定レベルより高いか否かを判定するレベル判定部とを備え、前記階調調節部は、前記レベル判定部により、前記設定画面に係る画像の階調が前記所定レベルより低いと判定されると、前記所定の範囲外の階調となるように、前記画像情報に係る画像の階調を上げることが好ましい。
【手続補正６】
【補正対象書類名】明細書
【補正対象項目名】００１３
【補正方法】変更
【補正の内容】
【００１３】
ここで、所定レベルは、前述の場合と同様に、例えば、全階調の半分の値とすることができる。
本発明によれば、階調判定部により、画像情報に係る画像の階調が前述の所定の範囲内であると判定された場合には、レベル判定部が、設定画面に係る画像の階調が所定レベルより高いか否かを判定する。そして、レベル判定部により、設定画面に係る画像の階調が所定レベルより低いと判断された場合には、画像情報に係る画像の階調を、前述の所定の範囲外の階調となるように上げ、当該画像情報に係る画像を明るくする。
これによれば、前述の場合とは逆に、設定画面に係る画像の階調が低い場合、すなわち、設定画面に係る画像が暗い場合に、当該設定画面に係る画像が重畳される画像情報に係る画像の階調を上げ、当該画像を明るくすることができる。従って、各画像が重畳された表示画像において、当該各画像のコントラストの違いにより、設定画面を一層確実に見易く、かつ、目立たせることができる。